(57)【特許請求の範囲】
【請求項１】
２枚のフエルト（１）と、該一方のフエルト（１）に設けたポケット（２）と、保温面積の狭い白金触媒発熱部（３）と、鉄粉が酸化することにより発熱するタイプの使い終わった使い捨てカイロ（４）と、から成り、前記ポケット（２）に前記白金触媒発熱部（３）を挿入すると共に、前記２枚のフエルト（１）の間に前記使い終わった使い捨てカイロ（４）を介装させたことを特徴とする保温器。
【発明の詳細な説明】
【０００１】
【発明の属する技術分野】
本発明のものは特許願第２００１−３６１４６号「保温スリッパ」及び平成１３年３月５日出願の特許願「白金触媒発熱と蓄熱材組み合わせ保温」の一連の出願であり、本出願の特許はその改良に関するものである。従来より使用されている、ハツキンカイロの保温面積の狭いのを、廃品となった使い終わった使い捨てカイロとを、組み合わせ使用することにより保温面積を広くし、長時間保温を可能とした製品を提供するのが目的である。
【０００２】
【従来の技術】
使い捨てカイロは鉄粉が錆びる時に発する熱を応用したもので、鉄粉・水・活性炭・塩・木粉（バーミキュライト）等を使用したものであり、空気中の酸素にふれる事で発熱しはじめ、手軽な保温装置として急速に普及した製品である、ただこのカイロは一度発熱すると後は廃品となり、燃えないゴミとして捨てる以外ないものである。
【０００３】
この使い捨てカイロが広く普及するまでは、従来よりハツキンカイロが簡便な保温として使用されており、このカイロは保温する温度と長時間保温が可能な長所があるが、欠点は保温面積の狭いことである。
【０００４】
【発明が解決しょうとする課題】
本発明が解決しょうとするのは、保温面積を広く而も保温時間の長い、コードレス保温を提供するものである。
【０００５】
【課題を解決するための手段】
この課題を解決するための手段として、本発明のものは、鉄粉が酸化することにより発熱するタイプの使い終わった使い捨てカイロと白金触媒発熱部を、組み合わせ使用したものである。
【０００６】
【発明の実施の形態】
使い勝手が良く保温面積が広く保温時間の長い、コードレス保温器を提供するものである。
【０００７】
【実施例】
図によって説明すれば、図１に図示せるものは本発明の実施例を示すもので、白金触媒発熱部３を点火後に、フエルト１に設けたポケット２に入れ、鉄粉が酸化することにより発熱するタイプの使い終わった使い捨てカイロ４を、フエルト１に張り付けたものとを、白金触媒発熱部３を出し入れする目的で、上部を開けて一体にしたものである。
【０００８】
図２に図示せるものは、鉄粉が酸化することにより発熱するタイプの使い終わった使い捨てカイロ４を２個と、白金触媒発熱部３とを組み合わせ、これを衣料に取り付けてテストしたもので、この日の室温１５℃、湿度４８％であった、保温面積は１９０ｍｍ×１３０ｍｍと広くなる。この場合４８℃で安定した、保温時間は１２時間以上保つことが可能であり、内部に入れる揮発油の量を増やすことで、２４時間近い保温が可能である。
【０００９】
図３に図示せるものは、鉄粉が酸化することにより発熱するタイプの使い終わった使い捨てカイロ４を４個と、白金触媒発熱部３とを組み合わせて衣料に取り付けてテストしたもので、保温面積は２５０ｍｍ×１９０ｍｍと広くなる。この場合は４５℃で安定した、この日の室温は１５℃で湿度は４８％であり、保温時間は２個使用の場合と同じである。
【００１０】
鉄粉が酸化することにより発熱するタイプの使い捨てカイロ４の使用個数は、数を増すと安定する温度は低下し、数を減らすと安定する温度は上昇する、この数は必要とする保温の温度と、必要とする保温部の広さに応じてきめる事になる。
【００１１】
いずれにしても保温面積が白金触媒発熱部自体の、１００ｍｍ×７０ｍｍに対して１９０ｍｍ×１３０ｍｍ又は、２５０ｍｍ×１９０ｍｍと広くなり、その応用範囲が拡がるものである。
【００１２】
図４に図示せるものは、特許願第２００１−３６１４６号「保温スリッパ」であって、本出願の特許はこの改良に関するものである、白金触媒発熱部３の保温面積の狭いのを、図５に図示せるように、鉄粉が酸化することにより発熱するタイプの使い終わった使い捨てカイロ４の中身を、スリッパ５の上面裏側に設け、これを白金触媒発熱部３により加熱する事で、スリッパ５の足に接触する部分全体を、効率良く保温可能にしたもので、先の出願３６１４６号請求のアルミ板使用に対し、白金触媒発熱部３がアルミ板に熱を大きく奪われ、効率が非常に悪いのを改良したものである。
【００１３】
図６に図示せるものは、衣料９の保温に応用した一例を示すもので、この場合は背中を保温する一例である。鉄粉が酸化することにより発熱するタイプの使い捨てカイロ４は一度使い終わると硬化するので、再使用するには細かく粉砕して使用する、白金触媒発熱部３と使い終わった使い捨てカイロ４とを、フエルト１により組み合わせたもの８を、衣料９の背中裏面に取り付けた製品である。
【００１４】
平成１３年３月５日出願の特許「白金触媒発熱と蓄熱材組み合わせ保温」を、本出願の特許は改良したものであって、蓄熱材との組み合わせの場合は、使用する前に白金触媒発熱部３の点火と、更に蓄熱材を充熱加熱する手間が掛かり、使用前に非常に手間が掛かり厄介である、これを白金触媒発熱部３の点火のみで済ませるもので、使用前の準備に効率を落とすことなく、手間の掛からぬようにしたものである。
【００１５】
鉄粉が酸化することにより発熱するタイプの使い捨てカイロ４以外にも色々とテストしたが、充熱加熱しない蓄熱材を白金触媒発熱部３で加熱するテストもしたが、あまりにも効率が悪く実用的ではなかった、これは蓄熱材を色々と変えても同じであった。
【００１６】
応用面としては色々と考えられ、医療用温熱治療器のコードレス熱源、ペット用あんかのコードレス熱源、老人医療のコードレス熱源、その他コードレス熱源としてに広く応用可能なものである。
【００１７】
【発明の効果】
本発明の効果としては、広い面積を適温で長時間保温を可能とするもので、保温衣料、医療用温熱治療器、老人関連等のコードレス保温製品の提供を可能とするものである。
図の説明
【図面の簡単な説明】
【図１】  鉄粉が酸化することにより発熱するタイプの使い終わつた使い捨てカイロと白金触媒発熱部を組み合わせ、使用する状態を示す図である。
【図２】  鉄粉が酸化することにより発熱するタイプの使い終わった使い捨てカイロ２個と、白金触媒発熱部組み合わせ使用の特性グラフを示す図である。
【図３】  鉄粉が酸化することにより発熱するタイプの使い終わった使い捨てカイロ４個と、白金触媒発熱部との組み合わせた場合の、特性グラフを示す図である。
【図４】  保温スリッパの外観を示す図である。
【図５】  保温スリッパの断面を示す図である。
【図６】  保温衣料の一例を示す図である。
【符号の説明】
１ フエルト
２ ポケット
３ 白金触媒発熱部
４ 鉄粉が酸化することにより発熱するタイプの使い終わった使い捨てカイロ
５ 保温スリッパ
６ 弾力性のある耐熱樹脂
７ スリッパの取り外し可能な底部
８ 本発明の保温部
９ 保温衣料
【図１】
0004609913.tif 000002
【図２】
0004609913.tif 000003
【図３】
0004609913.tif 000004
【図４】
0004609913.tif 000005
【図５】
0004609913.tif 000006
【図６】
0004609913.tif 000007